(57)【要約】【課題】液晶表示端末とＩＣカードリーダライタとを用いたシステムにおいて、システムのコンパクト化と操作の簡単化とを図ること。【解決手段】ＩＣカードにより液晶表示パネルの任意の表示領域に対応するタッチパネル上にタッチ操作された際に、ＩＣカードはそのタッチ操作位置のアンテナコイルを介してＩＣカードリーダライタとデータの送受信をすると共に、タッチ操作位置に対応して液晶表示パネル上に表示する表示内容に対応した制御を行う。【選択図】図３
2012064123.tif 000002
【特許請求の範囲】
【請求項１】
タッチパネル型の表示／入力操作画面と、上記表示／入力操作画面の裏面後方に当該画面上の１ないし複数の表示領域に個別配置された１ないし複数のアンテナコイルと、上記アンテナコイルを介して非接触型のＩＣカードとの間で通信を行うＩＣカードリーダライタ部と、上記各部を制御する制御部と、を具備し、上記制御部は、上記ＩＣカードによる表示／入力操作画面上の任意の表示領域へのタッチ操作により、上記タッチ操作位置に対応するアンテナコイルを介してＩＣカードリーダライタとＩＣカードとの間でのデータ送受信を制御すると共に、上記タッチ操作位置に対応して上記表示／入力操作画面上に表示する表示内容に対応した制御を行うことを特徴とするタッチパネル型表示端末。
【請求項２】
上記請求項１に記載のタッチパネル液晶表示端末からなりかつ飲食店の来店客側に設置され飲食メニューを表示する注文端末と、
飲食店側に設置され上記注文端末とはネットワークを介して接続されると共に当該注文端末からの注文を表示する注文受付・決済端末と、
を具備し、
上記注文端末は、表示／入力操作画面における飲食メニュー表示領域に対する非接触型ＩＣカードによるタッチ操作に基づいて上記注文受付・決済端末に対してネットワークを介して注文メニュー情報と決済情報とを送信できるようにした、
ことを特徴とする注文システム。
【発明の詳細な説明】
【技術分野】
【０００１】
本発明は、非接触型ＩＣカードを用いたタッチパネル型表示端末およびそれを用いた注文システムに関するものである。
【背景技術】
【０００２】
非接触型ＩＣカードは、当該カード内部にループ状のアンテナコイルとＩＣチップとを内蔵し、ＩＣカードリーダライタが発生する磁界に当該カードをかざすことにより無線通信でデータのやり取りができるものである。この非接触型ＩＣカードはＳｕｉｃａやＩＣＯＣＡに代表される鉄道改札や入退室管理などで活用されている。また非接触型ＩＣカードは、データの読み書きができる距離や通信方式で各種ある。
【０００３】
図９を参照してこのような非接触型ＩＣカードを用いたシステムを説明する。このシステムは例えば焼肉店、寿司店、レストラン等の飲食店産業において、来店客がテーブルに座ったままタッチパネル型の液晶表示端末に直接メニューを注文することができるシステムに利用される。すなわち、テーブルにはタッチパネル型の液晶表示端末１００と、この液晶表示端末１００にケーブル１０２で接続されたＩＣカードリーダライタ１０４とが設置されている。液晶表示端末１００の表示／入力操作画面１００ａには、例えばメニューがメニュー１からメニュー４までの４種類で表示されている。来客は、表示／入力操作画面１００ａに表示されているこれらメニューの中から注文したいメニューにタッチ操作する。このタッチ操作で注文すると、この注文した品とテーブル番号とが図示略の厨房の注文受付表示パネルに表示され、調理者はこの表示に基づいて注文品を調理し、作られた注文品を、店員がそのテーブル番号の来店客にまで運ぶというシステムである（特許文献１参照）。
【０００４】
そして、決済時においては、表示／入力操作画面１００ａ上で来客は自身が所有するクレジットカード式あるいはデポジット式等各種の非接触型ＩＣカード１０６で決済する操作を行うと、それに対応して表示／入力操作画面１００ａに非接触型ＩＣカード１０６をテーブル上のＩＣカードリーダライタ１０４のアンテナコイル１０４ａ上にかざすよう指令が表示され、これに従いＩＣカード１０６をＩＣカードリーダライタ１０４にかざす。これにより、ＩＣカードリーダライタ１０４と液晶表示端末１００との間でデータ交信が行われ、液晶表示端末１００からＩＣカードリーダライタ１０４には注文品に対応する料金データが送信され、ＩＣカードリーダライタ１０４は、この料金データに対応してＩＣカード１０６から注文品に対する料金決済を実行する。このような料金決済は飲食店受付表示パネルに表示され、この表示の確認後、店員がそのテーブル番号の来店客にまでその注文品を運ぶ。
【先行技術文献】
【特許文献】
【０００５】
【特許文献１】特開２００１−３０７２３４号公報
【発明の概要】
【発明が解決しようとする課題】
【０００６】
しかしながら、上記液晶表示端末１００を用いたシステムでは、液晶表示端末１００とＩＣカードリーダライタ１０４とがケーブル１０２で接続されていてテーブル上でそれらがスペースを大きくとること、また、ユーザは液晶表示端末１００の表示／入力操作画面１００ａに対する注文のためのタッチ操作と、決済のためのＩＣカードリーダライタ１０４に対する非接触型ＩＣカード１０６のかざし操作とが別々に要求され、操作が複雑である。
【０００７】
本発明は、上記システムにおける省スペース化と、操作のより簡便化とを図れるようにすることを解決すべき課題としている。
【課題を解決するための手段】
【０００８】
本発明によるタッチパネル型表示端末は、タッチパネル型の表示／入力操作画面と、上記表示／入力操作画面の裏面後方に当該画面上の１ないし複数の表示領域に個別配置された１ないし複数のアンテナコイルと、上記アンテナコイルを介して非接触型のＩＣカードとの間で通信を行うＩＣカードリーダライタ部と、上記各部を制御する制御部とを具備し、上記制御部は、上記ＩＣカードによる表示／入力操作画面上の任意の表示領域へのタッチ操作により、上記タッチ操作位置に対応するアンテナコイルを介してＩＣカードリーダライタとＩＣカードとの間でのデータ送受信を制御すると共に、上記タッチ操作位置に対応して上記表示／入力操作画面上に表示する表示内容に対応した制御を行うことを特徴とする。
【０００９】
なお、上記ＩＣカードはクレジットカード式だけでなく、ＳＩＵＣＡやＩＣＯＣＡ等のデポジット式のカード等、あらゆる形態のＩＣカードを含む。
【００１０】
本発明のタッチパネル型表示端末においては、ＩＣカードリーダライタが表示端末に一体化されるので表示端末とＩＣカードリーダライタとをケーブル接続する場合よりもコンパクトとなり、また、ユーザは表示端末のタッチパネルに対するタッチ操作と、アンテナコイルへＩＣカードのかざし操作と、が同時に行われることができ、操作が簡単化する。
【００１１】
そして、本発明による注文システムは、上記タッチパネル液晶表示端末からなり、かつ飲食店の来店客側に設置され飲食メニューを表示する注文端末と、飲食店側に設置され上記注文端末とはネットワークを介して接続されると共に、当該注文端末からの注文を表示する注文受付・決済端末とを具備し、上記注文端末は、表示／入力操作画面における飲食メニュー表示領域に対する非接触型ＩＣカードによるタッチ操作に基づいて上記注文受付・決済端末に対してネットワークを介して注文メニュー情報と決済情報とを送信できるようにしたことを特徴とする。
【００１２】
この注文システムでは、来店客側では、注文端末の表示／入力操作画面の所定領域にＩＣカードをタッチ操作するだけで、注文メニューの選択操作と決済操作とが可能であると共に、タッチパネル型液晶表示端末にＩＣカードリーダライタが一体化されるのでそれらを接続するケーブルを省配線でき、それらを例えば来店客側のテーブル上に配置する場合、その配置スペースが狭くて済むため、テーブルを広く利用することができるようになる。
【発明の効果】
【００１３】
本発明では、表示端末とＩＣカードリーダライタと非接触型ＩＣカードとを用いたシステムにおいて、システムのコンパクト化と操作の簡単化と可能となる。
【図面の簡単な説明】
【００１４】
【図１】図１は本発明の実施形態に係る液晶表示端末の外観を示す図である。
【図２】図２（ａ）は図１の液晶表示端末を正面側からの構成を示す図、図２（ｂ）は同液晶表示端末を裏面側からの構成を示す図である。
【図３】図３（ａ）は図２（ａ）に対応しＩＣカードを液晶表示端末にかざした状態を示す図、図３（ｂ）は図３（ａ）のＡ−Ａ線に沿う断面構成を示す図である。
【図４】図４は液晶表示端末の内部ブロック構成を示す図である。
【図５】図５は本発明の実施形態の液晶表示端末を用いた注文システムの構成を示す図である。
【図６】図６は図５のシステムにおいて注文端末の表示／入力操作画面を示す図である。
【図７】図７（ａ）は注文端末で注文確認画面例を示す図、図７（ｂ）は注文端末で決済処理を行う画面例を示す図である。
【図８】図８は図５のシステムにおいて注文受付・決済端末の表示／入力操作画面を示す図である。
【図９】図９は従来の液晶表示端末、ＩＣカードリーダライタ、ＩＣカードを示す図である。
【発明を実施するための形態】
【００１５】
以下、添付した図面を参照して、本発明の実施の形態に係るタッチパネル型表示端末を説明する。実施形態では表示端末として液晶表示端末とするが、本発明はこの液晶表示端末に限定されず、他の表示方式の表示端末にも適用することができる。図１にこの端末の外観を示す。図１では図解のためタッチパネルを取り外した状態で示す。液晶表示端末１は、上下左右に外周を取り囲むフレーム２内に矩形形状の液晶表示パネル３が設置されていると共に、この液晶表示パネル３上に同矩形形状のタッチパネル４が配置されている。液晶表示パネル３は操作メニュー表示、アイコン表示がされ、タッチパネル４にユーザが非接触型のＩＣカードやその他で触れることで後述するタッチパネル制御部がそのタッチ操作位置を検出し、その検出した位置に応じた入力操作信号を出力する。これにより、そのタッチ操作位置に対応する操作メニューやアイコンに対しての操作入力が可能となっている。なお、液晶表示パネル３とタッチパネル４とで操作パネルと称することもできる。タッチパネル４に対するタッチ操作の位置読み取りは各種方式例えば、抵抗膜方式、静電容量方式、電磁誘導式、磁気歪式、感圧式等があるが、本発明ではいずれにも限定されない。また、液晶表示端末１の内部には液晶表示パネルを後方から照明するバックライト等を含め、各種回路が内蔵されている。
【００１６】
図２（ａ）に液晶表示端末１を正面側から見た構成、図２（ｂ）に液晶表示端末１を背面側から見た構成を示す。これら図２（ａ）（ｂ）を参照して、上記パネル３，４は正面から見て表示／入力操作画面５を構成する。この表示／入力操作画面５は図２（ａ）で示すようにその表示領域全体が複数例えば実施形態では４つの矩形状の表示領域５ａ〜５ｄに分割される。また、それに対応して図２（ｂ）で示すように液晶表示端末１の裏面側にループ状のアンテナコイル６ａ〜６ｄが設置されている。すなわち、領域５ａはアンテナコイル６ａ、領域５ｂはアンテナコイル６ｂ、領域５ｃはアンテナコイル６ｃ、領域５ｄはアンテナコイル６ｄに対応する。勿論、これら分割や設置の態様は一例にすぎず、本発明はその態様に限定されない。これらアンテナコイル６ａ−６ｄはＩＣカードが内蔵するアンテナコイルと磁界誘導結合によりデータの交信ができる形態となっている。アンテナコイルは内蔵するＩＣチップへの電力供給にも用いる。この場合のＩＣカードは、ＩＣカードリーダライタとの間で規格により定められた通信方式で通信することができるものであり、それら規格には例えば、密着型や近接型などさまざまなものがあり、ＩＣカードとしては電波の飛ぶ距離（データ伝送距離）の長さによって「密着型」、「近接型」、「近傍型」、「遠隔型」に分類されるが、本発明ではこれら規格には限定されない。
【００１７】
図３（ａ）に液晶表示端末１を正面側から見た構成、図３（ｂ）に図３（ａ）のＡ−Ａ線に沿う断面構成を示す。例えばＩＣカード７を表示領域５ａに近づけタッチパネル４に接触させた際には、ＩＣカード７はアンテナコイル６ａ〜６ｄのうち、分割表示領域５ａに対応するアンテナコイル６ａと通信することができる。アンテナコイル６ａ〜６ｄは図解の都合で液晶表示端末１の背面から突出した状態で示すが、突出しないように液晶表示端末１内部に設けてもよい。
【００１８】
図４に当該液晶表示端末１の回路ブロックを示す。この液晶表示端末１は、ＣＰＵ８、上記タッチパネル４、タッチパネル制御部９、上記液晶表示パネル３、この表示制御部１０、メモリ１１、ＩＣカードリーダライタ部１２、上記アンテナコイル６ａ〜６ｄを有する。液晶表示端末１のＣＰＵ８はネットワーク１３を介して上位コンピュータ１４と接続している。
【００１９】
ＣＰＵ８は、液晶表示端末１の内部全体を制御する。
【００２０】
タッチパネル制御部９は、タッチパネル４に操作された位置を検出し、その検出にかかる信号をＣＰＵ８に出力する。
【００２１】
表示制御部１０は、ＣＰＵ８からの制御指令に応じて液晶表示パネル３にメニュー等を画像表示する。
【００２２】
こうしたタッチパネル４は、タッチ操作位置を直交二次元ＸＹ座標上の位置とするタッチパネル面を備え、タッチパネル制御部９は、そのタッチパネル面上におけるユーザのタッチ操作に対応して該タッチパネル面上のタッチ操作位置データ（ｘ，ｙ）を出力する。また、液晶表示パネル３は、タッチパネル面２下に配置され、その表示／入力操作画面に上記タッチ操作をタッチパネル面を介してユーザ側に表示する。表示制御部１０は、タッチパネル制御部９からのタッチ操作位置データ（ｘ，ｙ）に従い、液晶表示パネル３上にタッチ操作に対応した表示を制御する。
【００２３】
そして、ＣＰＵ８は、ＩＣカード７により表示／入力操作画面５ａ−５ｄに対応するタッチパネル４にタッチ操作された際に、そのタッチ操作された位置に対応する操作情報と、アンテナコイル６ａ−６ｄを介してＩＣカードリーダライタ部１２が受信したＩＣカードのカード情報とから、必要なデータをネットワーク１３を介して上位コンピュータ１４に伝送する。上位コンピュータ１４では、その情報に対応してディスプレイ上に画像を表示する。
【００２４】
メモリ１１は、液晶表示端末１の動作プログラムが格納され、またデータの格納等にも用いる。
【００２５】
ＩＣカードリーダライタ部１２は、図示略のインターフェース部と、リーダライタ部とを有し、アンテナコイル６ａ〜６ｄにＩＣカード７との間で電磁誘導による受信データを処理し、ＣＰＵ８に出力する。ＩＣカード７からの通信データは搬送波を変調したものであり、リーダライタ部でその通信データを復調処理し、その処理したデータをＣＰＵ８に出力する。一方、ＣＰＵ８からの制御データに応じてリーダライタ部で搬送波を変調してアンテナコイル６ａ〜６ｄから送信する。このようにＩＣカードリーダライタ部１２とＩＣカード７との間の搬送波の変調によりデータ通信制御を行うが、この詳しい説明は略する。
【００２６】
以上説明した液晶表示端末１の使用例を、図５以降を参照して説明する。この使用例は飲食店における注文システムであり、この注文システムにおいては、液晶表示端末１を飲食メニュー表示とそのメニューから来店客が注文可能とした注文端末としている。
【００２７】
上記注文システムは、図５で示すように、液晶表示端末１により構成される注文端末２０と、この注文端末２０とはネットワーク１９を介して接続される注文受付・決済端末２２とを具備する。
【００２８】
注文端末２０は、図６で示すように、飲食店内の図示略のテーブル上に配置され、表示／入力操作画面２１が例えば複数の表示領域２１ａ〜２１ｄに領域分けされ、各領域に飲食店のメニューとして例えば寿司やうどんや肉類等のメニュー１〜４が表示されている。勿論、このメニュー表示態様は飲食店ごとに任意に設定することができる。また、注文端末２０には、各メニュー１〜４が表示された各領域ごとに対応しそれの後方に図示略のアンテナコイルが個別配置されている。来店客は、例えばメニュー１を選択したい場合、図示略のＩＣカードで、表示／入力操作画面におけるメニュー１に対応する領域２１ａをタッチ操作する。すると、その表示／入力操作画面２１は図７（ａ）で示すように注文確認画面に切り替わる。来店客は、この注文確認画面でメニュー１の注文確定のため「ＯＫ」ボタンをタッチ操作する。この「ＯＫ」ボタンに対応して図示略のアンテナコイルが配置されており、この「ＯＫ」ボタンへのタッチ操作で注文が確定する。そして、注文確定の後、図７（ｂ）で示すように表示／入力操作画面２１が「決済」画面に切り替わり、「決済」処理をしたい場合は、この画面の「ＯＫ」ボタンにＩＣカードによりタッチ操作する。このタッチ操作によりＩＣカードは注文端末２０内蔵のＩＣカードリーダライタ部とデータ交信し、決済処理が行われる。
【００２９】
一方、メニュー１の情報はネットワーク１９から注文受付・決済端末２２に伝送され、この注文受付・決済端末２２の画面に図８で示すようにメニュー１と来店客のテーブル番号とが表示される。飲食店側ではメニュー１の注文が確定すると、厨房側の調理者はメニュー１の品物を調理し、その調理した品物を店員が来店客にまで運ぶ。
【００３０】
以上説明したように本実施形態では、ＩＣカード７により液晶表示パネル３の任意の表示領域に対応するタッチパネル４上にタッチ操作された際に、上記ＩＣカード７はタッチ操作位置に対応するアンテナコイルを介してＩＣカードリーダライタ部１２とデータの送受信をすると共に、上記タッチ操作位置に対応して液晶表示パネル３上に表示する表示内容に対応した制御を行うことができるようにしたので、まずＩＣカードリーダライタ部１２が液晶表示端末１に一体化され、液晶表示端末とＩＣカードリーダライタとをケーブル接続する場合よりもコンパクトとなり、また、ユーザは液晶表示端末１のタッチパネル４に対するタッチ操作と同時にアンテナコイルへＩＣカードのかざし操作が行われることにより、それらの操作が簡単化する。
【符号の説明】
【００３１】
１  液晶表示端末
２  フレーム
３  液晶表示パネル
４  タッチパネル
５  表示／入力操作画面
５ａ〜５ｄ  表示領域
６ａ〜６ｄ  アンテナコイル
１９  ネットワーク
２０  注文端末
２２  注文受付・決済端末
【図１】
2012064123.tif 000003
【図２】
2012064123.tif 000004
【図３】
2012064123.tif 000005
【図４】
2012064123.tif 000006
【図５】
2012064123.tif 000007
【図６】
2012064123.tif 000008
【図７】
2012064123.tif 000009
【図８】
2012064123.tif 000010
【図９】
2012064123.tif 000011